(57)【要約】      （修正有）【課題】画面上において完成品のイメージおよび金額をリアルタイムで確認しながら、カラー、材質、パーツ仕様などのデザイン条件を選択してオリジナル仕様のエレキギターをデザインして注文することのできるオリジナル仕様のエレキギターのデザイン方法を提供する。【解決手段】ユーザー側通信端末の表示部の表示画面にパーツ選択画面を表示し（ステップＳＴ４）、このパーツ選択画面上でパーツ仕様を決定すると、それがパーツ選択画面上に表示されているエレキギターのカラー画像に反映し、同時に、パーツ選択画面上の見積金額欄に表示されている見積金額にも反映する（ステップＳＴ９）。カラー画像および見積金額を確認しながらパーツを選択することにより、希望する仕様および金額のエレキギターを簡単にデザインすることができる。【選択図】図２
2008009720.tif 000002
【特許請求の範囲】
【請求項１】
ブラウザ機能を備えたユーザー側通信端末が、インターネットを介して、コンピュータを中心として構成したギターデザイン用ウェブサーバーによって運営されているエレキギターデザイン用のウェブサイトにアクセスするのを待ち、
アクセスした前記ユーザー通信端末の画面上に、基本仕様のエレキギターのカラー画像、および、選択可能なギタータイプ一覧が表示されているギタータイプ選択窓を含むギタータイプ選択画面を表示し、
この状態で、前記ユーザー側通信端末から、前記ギタータイプ選択窓に表示されているギタータイプ一覧から一つのギタータイプが選択されるのを待ち、
一つのギタータイプが選択されると、前記通信端末の画面をパーツ選択画面に切り替え、
このパーツ選択画面上に、選択されたギタータイプのエレキギターのカラー画像と、選択可能なパーツ一覧が表示されているパーツ選択窓と、パーツ仕様選択窓と、表示されているエレキギターの見積金額が表示された見積金額表示窓とを表示し、
この状態で、前記ユーザー側通信端末から、前記パーツ一覧の一つのパーツが選択されるのを待ち、
一つのパーツが選択されると、前記パーツ仕様選択窓に、選択されたパーツに含まれるパーツ仕様一覧を表示し、
この状態で、前記ユーザー側通信端末から、パーツ仕様の一つが選択されるのを待ち、
パーツ仕様の一つの種類が選択されると、前記エレキギターのカラー画像における選択されたパーツの部分を選択された仕様のパーツのカラー画像に切り替えると共に、前記見積金額表示窓に表示されている見積金額を、選択された仕様のパーツに変更した場合の見積金額に切り替え、
前記パーツ選択画面上において、前記パーツ一覧からのパーツの選択と、前記パーツ仕様一覧からのパーツ仕様の選択とを繰り返し行わせることにより、希望の仕様のエレキギターのカラー画像と、その見積金額を確認させることを特徴とするオリジナル仕様のエレキギターのオンライン・デザイン方法。
【請求項２】
請求項１において、
前記パーツ選択画面上に、モデル変更ボタンを配置しておき、
前記ユーザー側通信端末によって当該モデル変更ボタンが押されると、表示画面を前記ギタータイプ選択画面に戻すことを特徴とするオリジナル仕様のエレキギターのオンライン・デザイン方法。
【請求項３】
請求項１または２において、
前記パーツ選択画面上に仕様確認ボタンを表示し、
前記ユーザー側通信端末によって当該仕様確認ボタンが押されると、前記ユーザー側通信端末の画面を、仕様一覧窓および販売金額窓を備えた仕様確認画面に切り替え、
前記使用一覧窓に、選択されたギタータイプおよび各パーツ仕様の一覧を表示し、これらにより構成されるエレキギターの販売金額を前記販売金額窓に表示することを特徴とするオリジナル仕様のエレキギターのオンライン・デザイン方法。
【請求項４】
請求項１において、
前記パーツ選択画面上に、金属パーツの色指定ボタンを表示し、
前記ユーザー側通信端末によって前記色指定ボタンが押されると、前記パーツ仕様一覧表に、予め定められた一つあるいは複数の仕様のパーツのみを表示することを特徴とするオリジナル仕様のエレキギターのオンライン・デザイン方法。
【請求項５】
請求項４において、
前記色指定ボタンとして、シルバーおよびコスモブラックの２種類の色指定ボタンを備え、
各パーツのパーツ仕様として、シルバーが選択された場合に選択可能な仕様のものと、コスモブラックが選択された場合に選択可能な仕様のものとに予め分類しておくことを特徴とするオリジナル仕様のエレキギターのオンライン・デザイン方法。
【請求項６】
請求項１において、
前記ギタータイプは、エレキギターのボディー材によって区別されていることを特徴とするオリジナル仕様のエレキギターのオンライン・デザイン方法。
【請求項７】
請求項６において、
前記ギタータイプには、ボディー材が、ハードメイプル、マホガニー、ライトアッシュ、フレイムメイプルおよびキルテッドメイプルからなる５種類が含まれていることを特徴とするオリジナル仕様のエレキギターのオンライン・デザイン方法。
【請求項８】
請求項１において、
前記パーツ一覧には、ペグ、ボディカラー、エスカッション、フロントピックアップ、リアピックアップ、ブリッジ、テールピース、コントロールノブ、ストラットピンおよびストリングのうちの、少なくとも２つが含まれていることを特徴とするオリジナル仕様のエレキギターのオンライン・デザイン方法。
【請求項９】
請求項１ないし８のうちのいずれかの項に記載のオンライン・デザイン方法を、前記コンピュータを中心として構成したギターデザイン用ウェブサーバーに実行させることを特徴とするオリジナル仕様のエレキギターのオンライン・デザイン用プログラム。
【請求項１０】
入力部および表示部を備え、コンピュータを中心として構成されたエレキギターデザイン用の処理装置によりオリジナル仕様のエレキギターをデザインする方法であって、
前記表示部の表示画面上に、基本仕様のエレキギターのカラー画像、および、選択可能なギタータイプ一覧が表示されているギタータイプ選択窓を含むギタータイプ選択画面を表示し、
前記入力部を介して、前記ギタータイプ選択窓に表示されているギタータイプ一覧から一つのギタータイプが選択されるのを待ち、
一つのギタータイプが選択されると、前記表示画面をパーツ選択画面に切り替え、
このパーツ選択画面上に、選択されたギタータイプのエレキギターのカラー画像と、選択可能なパーツ一覧が表示されているパーツ選択窓と、パーツ仕様選択窓と、表示されているエレキギターの見積金額が記載されている見積金額表示窓とを表示し、
この状態で、前記入力装置を介して、前記パーツ一覧から一つのパーツが選択されるのを待ち、
一つのパーツが選択されると、前記パーツ仕様選択窓に、選択されたパーツに含まれるパーツ仕様一覧を表示し、
この状態で、前記入力部を介して、パーツ仕様の一つが選択されるのを待ち、
パーツ仕様の一つの種類が選択されると、前記エレキギターのカラー画像における選択されたパーツの部分を選択された仕様のパーツのカラー画像に切り替えると共に、前記見積金額表示窓に表示されている見積金額を、選択された仕様のパーツに変更した場合の見積金額に切り替え、
前記パーツ選択画面上において、前記パーツ一覧からのパーツの選択と、前記パーツ仕様一覧からのパーツ仕様の選択とを繰り返し行わせることにより、希望の仕様のエレキギターのカラー画像と、その見積金額を確認できることを特徴とするオリジナル仕様のエレキギターのデザイン方法。
【請求項１１】
請求項１０に記載のエレキギターのデザイン方法を、前記処理装置に実行させることを特徴とするオリジナル仕様のエレキギターデザイン用プログラム。
【発明の詳細な説明】
【技術分野】
【０００１】
本発明は、インターネットのウェブサイト上においてユーザーがエレキギターの各パーツを選択させることにより目標とする仕様および金額のオリジナルなエレキギターを簡単にデザインすることのできるオリジナル仕様のエレキギターのオンライン・デザイン方法に関するものである。
【背景技術】
【０００２】
従来において、エレキギター、ベースなどを注文するに当り、カラー、材質などをユーザーが自分で選択する場合には、楽器店などの店頭での打ち合わせ、あるいは、電話、ファクシミリなどの通信手段を介しての打ち合わせが必要である。また、その場で、完成品のイメージを確認することが困難であり、パーツを変更する毎にエレキギターの見積金額が変更するので、見積金額の算出も困難である。
【０００３】
ここで、インターネットなどの通信を介して、ユーザー端末上で、商品の条件を設定して注文するシステムが特許文献１、２に開示されている。特許文献１では、インターネットのホームページ上において、材料条件や加工条件などの複数の条件を設定してユーザーの望み通りの注文商品を販売する注文加工品の受注・販売システムが開示されている。特許文献２では、ユーザーの名前、自画像、ロゴ入りのゴルフボールなどの商品をインターネットなどの通信ネットワークを介して受注して販売する商品販売方法が開示されている。
【特許文献１】特開２００３−１６３２４号公報
【特許文献２】特開２００２−２９７９６５号公報
【発明の開示】
【発明が解決しようとする課題】
【０００４】
このような従来のインターネットを利用した商品の受注システムでは、ユーザーが通信端末の画面上において商品の各条件あるいは各仕様を選択することにより、商品が設計される。条件などの設定作業が終了した後に、商品の形状などが表示され、また、金額が表示される。
【０００５】
従来の商品の注文システムを利用して、オリジナル仕様のエレキギターの受注システムを構築しても、従来において店頭で店員と顧客が打ち合わせをしながら、カラー、材質、各パーツの仕様を選択していた場合と同様に、途中の段階で完成品のイメージを確認できないという問題点がある。また、途中の段階で見積金額を確認できないという問題点がある。このため、選択作業、あるいは設計作業が終了した後に、再度、設計仕様を変更するなどの変更操作の回数が多くなり、速やかに、顧客が希望するイメージおよび金額のエレキギターをデザインして注文することができない。
【０００６】
本発明の課題は、このような点に鑑みて、画面上において完成品のイメージおよび金額をリアルタイムで確認しながら、カラー、材質、パーツ仕様などのデザイン条件を選択してオリジナル仕様のエレキギターをデザインして注文することのできるオリジナル仕様のエレキギターのデザイン方法を提案することにある。
【課題を解決するための手段】
【０００７】
上記の課題を解決するために、本発明のオリジナル仕様のエレキギターのオンライン・デザイン方法は、
ブラウザ機能を備えたユーザー側通信端末が、インターネットを介して、コンピュータを中心として構成したギターデザイン用ウェブサーバーによって運営されているエレキギターデザイン用のウェブサイトにアクセスするのを待ち、
アクセスした前記ユーザー通信端末の画面上に、基本仕様のエレキギターのカラー画像、および、選択可能なギタータイプ一覧が表示されているギタータイプ選択窓を含むギタータイプ選択画面を表示し、
この状態で、前記ユーザー側通信端末から、前記ギタータイプ選択窓に表示されているギタータイプ一覧から一つのギタータイプが選択されるのを待ち、
一つのギタータイプが選択されると、前記通信端末の画面をパーツ選択画面に切り替え、
このパーツ選択画面上に、選択されたギタータイプのエレキギターのカラー画像と、選択可能なパーツ一覧が表示されているパーツ選択窓と、パーツ仕様選択窓と、表示されているエレキギターの見積金額が表示された見積金額表示窓とを表示し、
この状態で、前記ユーザー側通信端末から、前記パーツ一覧の一つのパーツが選択されるのを待ち、
一つのパーツが選択されると、前記パーツ仕様選択窓に、選択されたパーツに含まれるパーツ仕様一覧を表示し、
この状態で、前記ユーザー側通信端末から、パーツ仕様の一つが選択されるのを待ち、
パーツ仕様の一つの種類が選択されると、前記エレキギターのカラー画像における選択されたパーツの部分を選択された仕様のパーツのカラー画像に切り替えると共に、前記見積金額表示窓に表示されている見積金額を、選択された仕様のパーツに変更した場合の見積金額に切り替え、
前記パーツ選択画面上において、前記パーツ一覧からのパーツの選択と、前記パーツ仕様一覧からのパーツ仕様の選択とを繰り返し行わせることにより、希望の仕様のエレキギターのカラー画像と、その見積金額を確認させることを特徴としている。
【０００８】
本発明の方法では、パーツ選択画面上においてエレキギターのカラー画像と、見積金額を同時に表示し、パーツ仕様を変更する毎に、これらも同時に切り替わるようになっている。したがって、ユーザーは、エレキギターをプレビューしながらデザインでき、また、金額を確認しながらデザインすることができる。よって、希望するデザインおよび金額のエレキギターを簡単にデザインすることができる。
【０００９】
ここで、本発明では、前記パーツ選択画面上に、モデル変更ボタンを配置しておき、前記ユーザー側通信端末によって当該モデル変更ボタンが押されると、表示画面を前記ギタータイプ選択画面に戻すことを特徴としている。
【００１０】
また、本発明では、前記パーツ選択画面上に仕様確認ボタンを表示し、前記ユーザー側通信端末によって当該仕様確認ボタンが押されると、前記ユーザー側通信端末の画面を、仕様一覧窓および販売金額窓を備えた仕様確認画面に切り替え、前記使用一覧窓に、選択されたギタータイプおよび各パーツ仕様の一覧を表示し、これらにより構成されるエレキギターの販売金額を前記販売金額窓に表示することを特徴としている。
【００１１】
さらに、本発明では、前記パーツ選択画面上に、金属パーツの色指定ボタンを表示し、前記ユーザー側通信端末によって前記色指定ボタンが押されると、前記パーツ仕様一覧表に、予め定められた一つあるいは複数の仕様のパーツのみを表示することを特徴としている。
【００１２】
ここで、前記色指定ボタンとして、シルバーおよびコスモブラックの２種類の色指定ボタンを備え、各パーツのパーツ仕様として、シルバーが選択された場合に選択可能な仕様のものと、コスモブラックが選択された場合に選択可能な仕様のものとに予め分類しておくことができる。
【００１３】
また、前記ギタータイプを、エレキギターのボディー材によって区別しておくことができる。例えば、前記ギタータイプとして、ボディー材が、ハードメイプル、マホガニー、ライトアッシュ、フレイムメイプルおよびキルテッドメイプルからなる５種類のものを用意しておくことができる。
【００１４】
さらに、前記パーツ一覧には、ペグ、ボディカラー、エスカッション、フロントピックアップ、リアピックアップ、ブリッジ、テールピース、コントロールノブ、ストラットピンおよびストリングのうちの、少なくとも２つを含めておくことができる。
【００１５】
次に、本発明のオリジナル仕様のエレキギターのオンライン・デザイン用プログラムは、上記のオンライン・デザイン方法を、前記コンピュータを中心として構成したギターデザイン用ウェブサーバーに実行させることを特徴としている。
【００１６】
一方、本発明は、スタンドアロン型の処理装置を用いてオリジナル仕様のエレキギターをデザインする場合にも適用できる。すなわち、本発明は、入力部および表示部を備え、コンピュータを中心として構成されたエレキギターデザイン用の処理装置によりオリジナル仕様のエレキギターをデザインする方法であって、
前記表示部の表示画面上に、基本仕様のエレキギターのカラー画像、および、選択可能なギタータイプ一覧が表示されているギタータイプ選択窓を含むギタータイプ選択画面を表示し、
前記入力部を介して、前記ギタータイプ選択窓に表示されているギタータイプ一覧から一つのギタータイプが選択されるのを待ち、
一つのギタータイプが選択されると、前記表示画面をパーツ選択画面に切り替え、
このパーツ選択画面上に、選択されたギタータイプのエレキギターのカラー画像と、選択可能なパーツ一覧が表示されているパーツ選択窓と、パーツ仕様選択窓と、表示されているエレキギターの見積金額が記載されている見積金額表示窓とを表示し、
この状態で、前記入力装置を介して、前記パーツ一覧から一つのパーツが選択されるのを待ち、
一つのパーツが選択されると、前記パーツ仕様選択窓に、選択されたパーツに含まれるパーツ仕様一覧を表示し、
この状態で、前記入力部を介して、パーツ仕様の一つが選択されるのを待ち、
パーツ仕様の一つの種類が選択されると、前記エレキギターのカラー画像における選択されたパーツの部分を選択された仕様のパーツのカラー画像に切り替えると共に、前記見積金額表示窓に表示されている見積金額を、選択された仕様のパーツに変更した場合の見積金額に切り替え、
前記パーツ選択画面上において、前記パーツ一覧からのパーツの選択と、前記パーツ仕様一覧からのパーツ仕様の選択とを繰り返し行わせることにより、希望の仕様のエレキギターのカラー画像と、その見積金額を確認できることを特徴としている。
【００１７】
また、本発明のオリジナル仕様のエレキギターデザイン用プログラムは、上記のエレキギターのデザイン方法を、前記処理装置に実行させることを特徴としている。
【発明の効果】
【００１８】
本発明によれば、パーツ選択画面上において、パーツ仕様を決定すると、それがパーツ選択画面上に表示されているエレキギターのカラー画像に反映し、同時に、パーツ選択画面上に表示されている見積金額にも反映するようになっている。したがって、カラー画像および見積金額を確認しながらパーツを選択することにより、希望する仕様および金額のエレキギターを簡単にデザインすることができる。
【発明を実施するための最良の形態】
【００１９】
以下に、図面を参照して、本発明を適用したオリジナルギターのオンライン・デザイン・システムを説明する。
【００２０】
図１は本例のオリジナルギターのオンライン・デザイン・システムを示す全体構成図である。本例のシステム１は、ユーザーが通信端末を介してオリジナル仕様のエレキギターをデザインすることができるシステムであり、コンピュータを中心として構成したギターデザイン用ウェブサーバーを備えた管理装置２と、同じくコンピュータを中心として構成されたブラウザ機能付きのユーザー側通信端末３と、これらの間を接続可能なインターネット４から構成されている。
【００２１】
管理装置２は、インターネット上でエレキギターのデザインおよび受注用のウェブサイトを運営しているウェブサーバー５と、管理サーバー６と、データベース７とを備えている。データベース７には、ギタータイプデータベース１１と、ギターパーツデータベース１２と、基本タイプデータベース１３、受注データベース１４などが含まれている。
【００２２】
ギタータイプデータベース１１には、例えば、エレキギターのボディー材の材質に応じて５種類のギタータイプ１１（１）〜１１（５）が用意されており、それぞれのボディー材の材質は、ハードメイプル、マホガニー、ライトアッシュ、フレイムメイプル、クリテッドメイプルとされている。
【００２３】
ギターパーツデータベース１２には、例えば、ギターパーツとして１０種類のものが用意されている。例えば、ペグ、ボディカラー、エスカッション、フロントピックアップ、リアピックアップ、ブリッジ、テールピース、コントロールノブ、ストラップピン、およびストリングが用意されている。これらの１０種類のギターパーツ１２０のそれぞれには、各仕様のパーツ１２１が含まれている。各仕様のパーツ１２１は、そのカラー画像情報１２２、金額情報１２３、および、金属パーツ色対応付け情報１２４が、それぞれ対応付けした形態で記憶保持されている。
【００２４】
基本タイプデータベース１３には、予め定められた初期仕様のエレキギター情報およびカラー画像情報が記憶保持されている。
【００２５】
管理装置２は、そのＲＯＭ内に予め格納されている制御プログラムを実行することにより、以下に述べるように、ユーザー側通信端末３がウェブサイトにアクセスして画面上においてパーツなどの選択操作を行うと、エレキギターの仕様の変更、それに伴うエレキギターのカラー画像の変更および見積金額の変更処理を行い、画面上に変更後のエレキギターのカラー画像および見積金額を表示する処理を行う。また、ユーザー側通信端末３から仕様確認依頼を受け付けると、画面を仕様確認画面に切り替える。
【００２６】
図２は本例のオンライン・デザイン・システム１による処理動作を示す概略フローチャートである。図３〜図７は表示画面の例を示す説明図である。
【００２７】
ユーザー側通信端末３から、インターネット４を介して、エレキギターデザイン用のウェブサイトにアクセスがあると（ステップＳＴ１）、管理装置２の制御の下に、ユーザー側通信端末３の表示部の表示画面上には、図３に示すギター選択画面２１が表示される（ステップＳＴ２）。ギター選択画面２１には、基本仕様のエレキギターのカラー画像２２と、選択可能なギタータイプ一覧が表示されているギタータイプ選択窓２３が含まれている。これらはギタータイプデータベース１１および基本タイプデータベース１３の保持情報に基づき表示される。例えば、図３に示すように、ボディ材の材質がハードメイプルのギタータイプ２３（１）のカラー画像２２と、それを示す名称「ＥＸＰＥＲＴ  ＦＬ／ＨＭ」が表示される。
【００２８】
本例のギタータイプには、ボディ材が、ハードメイプル、マホガニー、ライトアッシュ、フレイムメイプルおよびキルテッドメイプルからなる５種類が含まれている。これらに対応する５種類のギタータイプ２３（１）〜２３（５）がギタータイプ選択窓２３に表示される。
【００２９】
ユーザー側通信端末３の入力部、例えばマウスを操作して、ギタータイプの一つが選択されると（ステップＳＴ３）、画面がパーツ選択画面３１に切り替わる（ステップＳＴ４）。図４にはパーツ選択画面３１の例を示してある。パーツ選択画面３１には、選択されたギタータイプのエレキギターのカラー画像３２と、選択可能なパーツ一覧が表示されているパーツ選択窓３３と、パーツ仕様選択窓３４と、表示されているエレキギターの見積金額が表示された見積金額表示窓３５が表示される。また、パーツ選択画面３１には、モデル変更ボタン３６が表示される。本例では、パーツ一覧には、ペグ、ボディカラー、エスカッション、フロントピックアップ、リアピックアップ、ブリッジ、テールピース、コントロールノブ、ストラットピンおよびストリングが含まれている。
【００３０】
パーツ選択画面３１において、ユーザー側通信端末３によってモデル変更ボタン３６がクリックされると（ステップＳＴ５）、画面がギタータイプ選択画面２１（図３）に戻る。したがって、ギタータイプを選択しなおすことができる。ギタータイプを選択しなおすと、それに伴って、エレキギターのカラー画像２２が切り替わると共に、見積金額表示欄に表示されている見積金額も切り替わる（ステップＳＴ４）。
【００３１】
パーツ選択画面３１において、ユーザー側通信端末３を介してパーツ一覧の一つのパーツが選択されると（ステップＳＴ６）、選択されたパーツに含まれているパーツ仕様一覧が、パーツ仕様選択窓３４に表示される（ステップＳＴ７）。例えば、パーツとしてコントロールノブが選択された場合には、図５に示すように、４種類の仕様のコントロールノブがパーツ仕様選択窓３４に表示される。本例では、４種類の仕様のコントロールノブが、それぞれの名称とカラー画像と共に表示される。
【００３２】
この状態で、ユーザー側通信端末３から、パーツ仕様の一つが選択されると（ステップＳＴ８）、エレキギターのカラー画像３２が、選択されたコントロールノブが採用されたエレキギターのカラー画像に切り替わり、同時に、見積金額表示欄３５の表示額が、選択されたコントロールノブを採用した場合のエレキギターの見積金額に切り替わる（ステップＳＴ９）。図６には、ブラックスピードノブが選択された場合の表示画面の例を示してある。
【００３３】
このようにして、パーツ選択画面３１上において、パーツ一覧からのパーツの選択と、パーツ仕様一覧からのパーツ仕様の選択とを繰り返し行うことにより、ユーザーは、希望の仕様のエレキギターをデザインできる。また、パーツを選択する毎に、デザインされたエレキギターのカラー画像と、その見積金額が表示されるので、リアルタイムで、エレキギギターの外観および金額を確認できる。よって、ユーザーが希望する仕様および金額のエレキギターを速やかにデザインできる。
【００３４】
ここで、パーツ選択画面３１上には金属パーツの色指定ボタンも表示される。本例では、色指定ボタンとして、シルバーおよびコスモブラックの２種類の色指定ボタン３７、３８が配置されている。各パーツのパーツ仕様として、シルバーが選択された場合に選択可能な仕様のものと、コスモブラックが選択された場合に選択可能な仕様のものとに予め分類されている。すなわち、パーツデータベース１２に保存されている各パーツ情報には、属性情報として、シルバー用およびコスモブラック用の何れであるのかを示す情報１２４が含まれている。
【００３５】
ユーザー側通信端末３を介して色指定ボタン３７あるいは３８がクリックされると、パーツ仕様一覧表には、予め定められた一つあるいは複数の仕様のパーツのみが表示される。この結果、金属パーツの色調に合った色のパーツのみが選択され、色調が統一されたデザインのエレキギターをデザインできる。
【００３６】
次に、パーツ選択画面３１上には仕様確認ボタン３９が表示されている。ユーザー側通信端末３を介して当該仕様確認ボタン３９がクリックされると（ステップＳＴ１０）、表示画面が、図７に示すように、仕様一覧窓４２および販売金額窓４３を備えた仕様確認画面４１に切り替わる（ステップＳＴ１１）。仕様一覧窓４２には、選択されたギタータイプおよび各パーツ仕様の一覧が表示され、これらにより構成されるエレキギターの販売金額が販売金額窓４３に表示される。仕様を確認した後に、承認ボタン４４をクリックすると、画面が注文画面に切り替わり、オリジナルデザインのエレキギターを注文することが可能になる。
【００３７】
発注画面、発注処理は、一般的なオンライン発注システムと同様であり、住所、氏名、決済方法などの入力欄、あるいは、会員番号および暗証番号の入力欄などが表示され、これらに入力して送信ボタンをクリックすることにより、発注処理が完了するようになっている。したがって、詳細な説明は省略する。受注データは受注データベース１４に保存され、エレキギター製造元に通知される。
【００３８】
なお、上記の例はオンラインでオリジナル仕様のエレキギターをデザインする場合のものであるが、スタンドアロン型のコンピュータ装置において、その画面上でオリジナル仕様のエレキギターをデザインする場合にも本発明を同様に適用可能なことは勿論である。例えば、楽器店にこのような装置を設置しておき、顧客に操作させてオリジナルデザインのエレキギターを注文できるようにすると便利である。
【図面の簡単な説明】
【００３９】
【図１】本発明を適用したオリジナル仕様のエレキギターのオンライン・デザイン・システムの概略構成図である。
【図２】図１のシステムによる概略動作を示す概略フローチャートである。
【図３】ギター選択画面の例を示す説明図である。
【図４】パーツ選択画面の例を示す説明図である。
【図５】パーツ仕様が表示された状態の画面例を示す説明図である。
【図６】パーツ仕様が選択された場合の画面例を示す説明図である。
【図７】仕様確認画面の例を示す説明図である。
【符号の説明】
【００４０】
１    オリジナル仕様のエレキギターのオンライン・デザイン・システム
２    管理装置
３    ユーザー側通信端末
４    インターネット
５    ウェブサーバー
６    管理サーバー
７    データベース
１１  ギタータイプデータベース
１２  ギターパーツデータベース
１３  基本タイプデータベース
１４  受注データベース
２１  ギタータイプ選択画面
２２  カラー画像
２３  ギタータイプ選択窓
３１  ギターパーツ選択画面
３２  カラー画像
３３  パーツ選択窓
３４  パーツ仕様選択窓
３５  見積金額表示欄
３６  モデル変更ボタン
３７、３８  色指定ボタン
３９  仕様確認ボタン
４１  仕様確認画面
４２  仕様一覧窓
４３  販売金額窓
【図２】
2008009720.tif 000003
【図１】
2008009720.tif 000004
【図３】
2008009720.tif 000005
【図４】
2008009720.tif 000006
【図５】
2008009720.tif 000007
【図６】
2008009720.tif 000008
【図７】
2008009720.tif 000009